(57)【要約】【課題】光源体そのものがスタンド照明器具となり、しかも収納容器としても使用できる収納機能を有するＬＥＤ光源体を提供することを目的とする。【解決手段】容器本体（１）の外周に、長尺なフレキシブル基板を使用したテープ状のＬＥＤモジュール（２）を螺旋状に巻き付けて装着し、前記筒状容器本体（１）は、その外径が上方に行くに従って小さくしている。  また、前記ＬＥＤモジュール（２）が、横向きに照射する側面発光タイプであり、また、前記ＬＥＤモジュ-ル（２）が、正面発光タイプと照射側面発光タイプとを使用し、それらを交互に巻き付けている。【選択図】図１
2020098737.tif 000002
【特許請求の範囲】
【請求項１】
筒状容器本体（１）の外周に、長尺なフレキシブル基板（２ａ）を使用したテープ状のＬＥＤモジュール（２）を螺旋状に巻き付けて装着したことを特徴とする収納機能を有するＬＥＤ光源体。
【請求項２】
前記筒状容器本体（１）が、その下部に反射板（１１）有する請求項１記載の収納機能を有するＬＥＤ光源体。
【請求項３】
前記筒状容器本体（１）は、その外径が上方に行くに従って小さくした請求項１又は２記載の収納機能を有するＬＥＤ光源体。
【請求項４】
前記ＬＥＤモジュール（２）が、横向きに照射する側面発光タイプである請求項３記載の収納機能を有するＬＥＤ光源体。  
【請求項５】
前記ＬＥＤモジュール（２）が、正面発光タイプと照射側面発光タイプとを使用し、それらを交互に巻き付けた請求項３記載の収納機能を有するＬＥＤ光源体。  
【発明の詳細な説明】
【技術分野】
【０００１】
本発明は、長尺なフレキシブルＬＥＤを使用した収納機能を有するＬＥＤ光源体に関し、特にはＬＥＤ光源体が光源以外に収納容器としても使用できる収納機能を有するＬＥＤ光源体に関する。
【背景技術】
【０００２】
従来、ＬＥＤ光源体においては、フレキシブル基板の表面に多数の発光素子（発光ダイオード）を実装したＬＥＤモジュールを使用したものが知られている。
例えば、特許文献１（特開２０１５−１５３７０５）には、棒状部材と、主面にＬＥＤ素子が設けられたフレキシブル基板とを備え、フレキシブル基板は、棒状部材に巻きつかれている照明用光源が開示されている。
これにより、シンプルな構成により全方向への配光が可能となる。
【０００３】
また、特許文献２（実用新案登録第３１６７２４１号）には、発光ダイオードを直線状に連結したものを合成樹脂で一体に形成されてなる可撓性のライン発光体を、直線棒体を心材としてこれに巻きつけて発光体が形成され、この発光体を透明若しくは半透明の直管型カバー管の内部空間部に内包させてなるＬＥＤ照明管が開示されている。
【先行技術文献】
【特許文献】
【０００４】
【特許文献１】特開２０１５−１５３７０５公報
【特許文献２】実用新案登録第３１６７２４１号公報
【発明の概要】
【発明が解決しようとする課題】
【０００５】
しかしながら、特許文献１の照明用光源、特許文献２のＬＥＤ照明管においては、ＬＥＤモジュール（特許文献１のＬＥＤ素子が設けられたフレキシブル基板、特許文献２のライン発光体に相当）を棒状部材又は直線棒体の心材に巻きつけたことにより、周方向への配光が可能となる点において、指向性の高いＬＥＤモジュールを使用する照明の欠点をカバーするも、心材の役目は単にＬＥＤモジュールを巻き付けて取付けるための物であり、他の用途に使用できず、前記照明用光源及び照明管の使用範囲が照明に限られ汎用性に乏しい問題点を有していた。
また、特許文献１の照明用光源、特許文献２の発光体においては、それらをランプ筐体内あるいはカバー管内に収容して照明器具を成すが、光源や発光体そのもの自体では、照明器具として使用できない問題点を有していた。
上記の問題点に鑑み、本発明は、光源体そのものがスタンド照明器具となり、しかも物を入れる収納容器としても使用できる収納機能を有するＬＥＤ光源体を提供することを目的とする。
【課題を解決するための手段】
【０００６】
筒状容器本体（１）の外周に、長尺なフレキシブル基板（２ａ）を使用したテープ状のＬＥＤモジュール（２）を螺旋状に巻き付けて装着したことを特徴とする。
【０００７】
前記筒状容器本体（１）が、その下部に反射板（１１）を有するのがよい。
【０００８】
前記筒状容器本体（１）は、その外径が上方に行くに従って小さくするのがよい。
【０００９】
前記ＬＥＤモジュール（２）が、横向きに照射する側面発光タイプであるのがよい。  
【００１０】
前記ＬＥＤモジュール（２）が、正面発光タイプと照射側面発光タイプとを使用し、それらを交互に巻き付けるのがよい。  
【発明の効果】
【００１１】
本発明は、筒状容器本体（１）の外周に、長尺なフレキシブル基板を使用したＬＥＤモジュ-ル（２）を螺旋状に巻き付けて装着したことにより、照明の光源として使用できると共に、筒状容器本体（１）に、ＬＥＤモジュール（２）の発光色や発光時間を制御するコントローラや装飾品等を入れることができ、例えば、筒状容器本体（１）に生花、造花、ドライフラワー等の装飾品（Ａ）を差し入れて装飾すると、ＬＥＤモジュ-ル（２）の光が下方からドライフラワーに投射され、幻想的雰囲気が醸しだされ、また、ＬＥＤモジュール（２）の発光色をコントローラで連続的又は間欠的に変化させれば種々色が変化する装飾品（Ａ）を見て楽しむこともできる。
【００１２】
また、筒状容器本体（１）が、その下部に反射板（１１）を有すると、ＬＥＤモジュール（２）の下方向にも投射された一部配光を上方に反射し、上方への有効な照明効果を発揮する。また、反射板（１１）が筒状容器本体（１）に長物を入れて立たせる際の転倒防止の役目を成す。
【００１３】
更に、ＬＥＤモジュール（２）を巻き付けた筒状容器本体（１）は、自立して載置することができるので、そのままスタンド照明器具として使用できる。
【００１４】
また、筒状容器本体（１）は、その外径が上方に行くに従って小さくしたことにより、下方に巻き付けられたＬＥＤモジュール（２）が上部のＬＥＤモジュール（２）よりも突出すると共に、ＬＥＤモジュール（２）の面が上向きとなり、ＬＥＤモジュール（２）の光が、上方のＬＥＤモジュール（２）に邪魔されずに上方に充分配光できる。
その際に、ＬＥＤモジュール（２）が、横向きに照射する側面発光タイプを使用すると、大部分の光が上方に配光されて上部への照明効果がより高まる。
【００１５】
また、外径が上方に行くに従って小さくした筒状容器本体（１）を使用した場合、正面発光タイプのＬＥＤモジュール（２）と、照射側面発光タイプのＬＥＤモジュール（２）を交互に巻き付けると、筒状容器本体（１）の外周と上方に隈なく照射する。
【図面の簡単な説明】
【００１６】
【図１】本発明の光源体を示す断面図である。
【図２】本発明の光源体で他の筒状容器本体を示す断面図である。
【図３】本発明の筒状容器本体の底部に反射板を設けた断面図である。
【図４】本発明のＬＥＤモジュールを示す説明図である。
【図５】本発明の使用状態を示す説明図である。
【発明を実施するための形態】
【００１７】
以下、図１〜５に基づき本発明の実施の形態を説明する。先ず図１〜３において、（１）は有底の筒状容器本体である。この筒状容器本体（１）は金属、ガラス、合成樹脂製で、上部を開口した有底の筒状容器に成形したものであり、外周が５〜５０ｃｍ、高さが外周の２〜５倍程度のものが好ましいが、必ずしもこれに限定されない。
また、筒状容器本体（１）の形状は、円筒形、角筒形であり、特には円筒形が後述するＬＥＤモジュ-ル（２）を螺旋状に巻き付けるのに、急激に曲がる箇所が無く好ましい。
筒状容器本体（１）の下部には反射板（１１）を設けるとよく、反射板（１１）は光を反射できるように表面処理した金属板、合成樹脂板である。
この反射板（１１）により、下方にも照射された光を上方に反射して、上方への配光を高めることができる。
【００１８】
筒状容器本体（１）の他の実施形態としては、図２の如く、その外径が上方に行くに従って小さくしたものであり、この筒状容器本体（１）にＬＥＤモジュール（２）を巻き付けると、外周の斜面でＬＥＤモジュール（２）の面が多少上向きとなり、外周以外に上方にも配光され易くなる。
これら筒状容器本体（１）の材質としては、金属、ガラス、合成樹脂、陶器、木材等が使用される。
【００１９】
（２）は、図４に示すように、ＬＥＤモジュールであり、このＬＥＤモジュール（２）は、フレキシブル基板（２ａ）と、フレキシブル基板（２ａ）の上に実装された多数のＬＥＤ素子（２ｂ）と、電極端子（２ｃ）を具備する。
ＬＥＤ素子（２ｂ）は、単色発光のものでもよいが、複数の多色発光のものを組み合わせてフレキシブル基板（２ａ）に実装したものが好ましく、これによりＬＥＤモジュール（２）の発光がカラフルで、色とりどりの配光が可能となる。
このＬＥＤモジュール（２）は前記筒状容器本体（１）に螺旋状に巻き付け接着する。
【００２０】
また、ＬＥＤモジュール（２）は、上方に効率よく配光する場合、側面が発光する照射側面発光タイプを使用するのがよい。
通常のＬＥＤモジュール（２）は正面に光を飛ばす正面発光タイプであるが、照射側面発光タイプは横向きに照射でき、この照射側面発光タイプのＬＥＤモジュール（２）を、外径が上方に行くに従って小さくした筒状容器本体（１）の外周に螺旋状に巻き付けると、巻き付けられた下方のＬＥＤモジュール（２）が上部のＬＥＤモジュール（２）よりも外側に突出するため、照射側面発光タイプのＬＥＤモジュール（２）の横から上方に照射する光が、上部のＬＥＤモジュール（２）に邪魔されずに上方へ確実に配光できる。
即ち、照射側面発光タイプのＬＥＤモジュール（２）は横向きに照射するから、それを巻き付ける場合は照射する光が上のＬＥＤモジュール（２）に当らないようにすることが重要となる。
そのために、照射側面発光タイプのＬＥＤモジュール（２）を螺旋状に巻く筒状容器本体（１）は外径が上方に行くに従って小さくした形状にすると、それに巻き付けたＬＥＤモジュール（２）は、上方のＬＥＤモジュール（２）よりも下方のＬＥＤモジュール（２）が外側に突出し、上部に照射する光が上のＬＥＤモジュール（２）に当たらないようにしている。
【００２１】
また、外径が上方に行くに従って小さくした筒状容器本体（１）を使用した場合、正面発光タイプのＬＥＤモジュール（２）と、照射側面発光タイプのＬＥＤモジュール（２）を交互に巻き付けると、主として、正面発光タイプのＬＥＤモジュール（２）が外周を照射し、照射側面発光タイプのＬＥＤモジュール（２）が上方を照射する役目を成し、筒状容器本体（１）の外周と上方に隈なく照射することができる。
尚、これらＬＥＤモジュール（２）については、既に公知のものであり、これ以上の説明は省略する。
【００２２】
（３）は、ＬＥＤモジュール（２）の発光を制御するコントローラであり、発光時間、調色等、種々配光形態の演出を制御できる。
【００２３】
次に、本発明の光源体の使用方法について、その一例を図５で説明すると、筒状容器本体（1）に数本の生花、造花やドライフラワー等の装飾品（Ａ）を差し入れ、花器として使用すると、その装飾品（Ａ）の上方部分が光源体からの照明で照らされ、花の色を華やかに演出し、その際にコントローラ（３）による点滅、カラフルな色に照明を変化させれば、更に綺麗さと優雅さが演出できる。尚、生花は花瓶ごとに入れるとよい。
他方、行燈の光源体としても使用でき、その際に、筒状容器本体（1）に前記装飾品（Ａ）等を差し入れると、照明器具が装飾品として使用できる。
また、光源体を使用しない際はコントローラ（３）等を筒状容器本体（１）に収納でき、収納機能としての役目も成す。
【００２４】
このように、本発明の光源体は、照明としての役目と容器としての収納機能を併せ持ち、インテリア的な役目を兼ね備えたものである。
【符号の説明】
【００２５】
１  筒状容器本体  
１１  反射板
２  ＬＥＤモジュール
2a  フレキシブル基板
【図１】
2020098737.tif 000003
【図２】
2020098737.tif 000004
【図３】
2020098737.tif 000005
【図４】
2020098737.tif 000006
【図５】
2020098737.tif 000007